(57)【要約】【課題】用紙の整合性および搬送性を損なわず，装置全体のコンパクト化を図ることができる用紙後処理装置およびそれを備えた画像形成装置を提供すること。【解決手段】フィニッシャ１は，用紙を後処理のために一時的に収容する処理トレイ２３と，排紙された用紙あるいは用紙束を収容する排紙トレイ２４と，排紙トレイ２４へ用紙あるいは用紙束を排出する排出ローラ対２５と，処理トレイ２３内に集積した用紙束に対してステープル処理を行うステープルユニット２８とが設けられている。排出ローラ対２５は，排出ローラ２５ａ，２５ｂによってニップ部を構成する。さらに，排出ローラ対２５は，高さ方向の所定の範囲内で移動可能に設けられている。そして，非後処理モードでは，排出ローラ対２５をホームポジションに配し，後処理モードでは，排出ローラ対２５をホームポジションよりも下方のステープルポジションに配する。【選択図】            図１
2006206197.tif 000002
【特許請求の範囲】
【請求項１】
後処理モード時に用紙を一時的に収容する第１トレイと，後処理後の用紙を収容する第２トレイと，第１ローラと第２ローラとによってニップ部を形成し，搬入された用紙を前記第２トレイに排出する排出ローラ対とを備え，後処理時には前記第１トレイと前記第２トレイとに跨って用紙が収容される用紙後処理装置において，
前記排出ローラ対は，
第１ローラ，第２ローラのそれぞれが相対するローラに対して圧接・離間方向に移動可能に設けられ，
後処理モードと非後処理モードとでは，そのニップ部の高さ方向の位置が異なることを特徴とする用紙後処理装置。
【請求項２】
後処理モード時に用紙を一時的に収容する第１トレイと，後処理後の用紙を収容する第２トレイと，第１ローラと第２ローラとによってニップ部を形成し，搬入された用紙を前記第２トレイに排出する排出ローラ対とを備え，後処理時には前記第１トレイと前記第２トレイとに跨って用紙が収容される用紙後処理装置において，
前記排出ローラ対は，
第１ポジションと，その第１ポジションとは高さ方向の位置が異なる第２ポジションとの間で移動可能に設けられ，
後処理モードで用紙束を排出する際には，そのニップ部が前記第１ポジションに配置され，非後処理モードで用紙を排出する際には，そのニップ部が前記第２ポジションに配置されることを特徴とする用紙後処理装置。
【請求項３】
請求項２に記載する用紙後処理装置において，
前記排出ローラ対は，
後処理モードにて用紙を前記第１トレイ内に集積する際には，前記第１ローラが前記第２ポジションに配置され，前記第２ローラが前記第１ポジションに配置されることを特徴とする用紙後処理装置。
【請求項４】
請求項２または請求項３に記載する用紙後処理装置において，
前記第１トレイは，
角度変更が可能な可動トレイ部と，後処理ユニットと係合する固定トレイ部とからなり，
前記可動トレイ部は，前記第２ローラの移動に同期してその角度を変更することを特徴とする用紙後処理装置。
【請求項５】
後処理モード時に用紙を一時的に収容する第１トレイと，後処理後の用紙を収容する第２トレイと，第１ローラと第２ローラとによってニップ部を形成し，搬入された用紙を前記第２トレイに排出する排出ローラ対とを備え，後処理時には前記第１トレイと前記第２トレイとに跨って用紙が収容される用紙後処理装置を内蔵する画像形成装置において，
前記用紙後処理装置内の排出ローラ対は，
第１ローラ，第２ローラのそれぞれが相対するローラに対して圧接・離間方向に移動可能に設けられ，
後処理モードと非後処理モードとでは，そのニップ部の高さ方向の位置が異なることを特徴とする画像形成装置。
【請求項６】
後処理モード時に用紙を一時的に収容する第１トレイと，後処理後の用紙を収容する第２トレイと，第１ローラと第２ローラとによってニップ部を形成し，搬入された用紙を前記第２トレイに排出する排出ローラ対とを備え，後処理時には前記第１トレイと前記第２トレイとに跨って用紙が収容される用紙後処理装置を内蔵する画像形成装置において，
前記用紙後処理装置内の排出ローラ対は，
第１ポジションと，その第１ポジションとは高さ方向の位置が異なる第２ポジションとの間で移動可能に設けられ，
後処理モードで用紙束を排出する際には，そのニップ部が前記第１ポジションに配置され，非後処理モードで用紙を排出する際には，そのニップ部が前記第２ポジションに配置されることを特徴とする画像形成装置。
【請求項７】
請求項６に記載する画像形成装置において，
前記排出ローラ対は，
後処理モードで用紙を前記第１トレイ内に集積する際には，前記第１ローラが前記第２ポジションに配置され，前記第２ローラが前記第１ポジションに配置されることを特徴とする画像形成装置。
【発明の詳細な説明】
【技術分野】
【０００１】
本発明は，コピー機，プリンタ，およびファックス等により画像形成された用紙の後処理を行う用紙後処理装置およびそれを備えた画像形成装置に関する。さらに詳細には，画像形成装置内に収容可能な用紙後処理装置およびそれを備えた画像形成装置に関するものである。
【背景技術】
【０００２】
従来から，コピー機，プリンタ等の画像形成装置においては，画像が形成された用紙に二つ折り，三つ折り（Ｚ折り）等に折り目を入れたり（紙折り処理），用紙の所定位置にファイリング用の穴を開けたり（穴あけ処理），ステープル針を用いて製本したり（ステープル処理）といった用紙の後処理を行う用紙後処理装置（いわゆる，フィニッシャ）がオプションとして提供されている。
【０００３】
近年，用紙後処理装置においては，後処理時の用紙束の収容時に，用紙束の後端を１つ目のトレイで保持し，先端を２つ目のトレイで保持する，いわゆる２段収容方式の用紙後処理装置が提案されている。この２段収容方式の用紙後処理装置は，図８に示すように，用紙束を後処理のために一時的に収容する処理トレイ２３（１つ目のトレイ）と，後処理を行わずに直接排出される用紙あるいは後処理後の用紙束を収容する排紙トレイ２４（２つ目のトレイ）とを備えている。
【０００４】
そして，後処理モードが選択されていない，すなわち画像形成後の用紙を直接排出する際には，排出ローラ２５ａ，２５ｂによって排紙トレイ２４に１枚ずつ排出される。一方，後処理モードが選択されている際には，画像形成後の用紙が処理トレイ２３に排出される（図８参照）。その後，処理トレイ２３内で用紙が集積し，整合することによって用紙束となる。処理トレイ２３内で用紙束が形成されると，後処理ユニット２８によって用紙束に対してステープル処理等の後処理がなされる。その後，後処理がなされた用紙束は，排出ローラ２５ａ，２５ｂによって処理トレイ２３から排出され，排出トレイ２４内に収容される。排出ローラ２５ａ，２５ｂは，非後処理モードでの排出と後処理モードでの排出とを兼用しており，排出ローラ対２５のニップ部の位置は一定である。
【０００５】
用紙後処理装置の具体例としては，例えば特許文献１に開示されたものがある。特許文献１の用紙後処理装置では，排出口の開口量を用紙束の枚数等に応じて可変とすることで用紙束の破損防止を図ることができるとしている。
【特許文献１】特開平１１−１９９１１０号公報
【発明の開示】
【発明が解決しようとする課題】
【０００６】
従来の用紙後処理装置では，用紙の整合のために後処理ユニット２８が斜めに配置されている。一方，画像形成装置の小型化の要請から，画像形成装置本体内に用紙後処理装置を内蔵する，いわゆるインナーフィニッシャがモノクロの画像形成装置で実用化されている。このインナーフィニッシャをカラーの画像形成装置，特にタンデム型の画像形成装置で実現するためには，用紙後処理装置自体の小型化，特に高さ方向のさらなる縮小化が不可欠となる。ところが，後処理ユニットを斜めに配置しているため，用紙後処理装置の小型化を十分に図ることができない。
【０００７】
そこで，この問題を解決するため，処理トレイ２３を折り曲げることで後処理ユニットを水平に配置（水平配置）することが考えられる。しかしながら，処理トレイ２３を折り曲げてしまうと次のような問題が生じる。すなわち，図９に示すように，処理トレイ２３の取り曲げ箇所で用紙束が屈曲してしまう。そのため，整合性が悪化する。
【０００８】
一方，図１０に示すように，処理トレイ２３を折り曲げず，排出ローラ２５ａ，２５ｂの位置を下げることで，後処理ユニット２８の水平配置を可能とすることも考えられる。しかしながら，排出ローラ２５ａ，２５ｂの位置を下げると次のような問題が生じる。すなわち，排出ローラ２５ａ，２５ｂの位置を下げることで，用紙の搬送経路２２に屈曲箇所が形成される。そのため，用紙の搬送性が悪化する。つまり，後処理ユニット２８を水平配置すると，整合性と搬送性との少なくとも一方が悪化してしまう。
【０００９】
本発明は，前記した従来の用紙後処理装置が有する問題点を解決するためになされたものである。すなわちその課題とするところは，用紙の整合性および搬送性を損なわず，装置全体のコンパクト化を図ることができる用紙後処理装置およびそれを備えた画像形成装置を提供することにある。
【課題を解決するための手段】
【００１０】
この課題の解決を目的としてなされた用紙後処理装置は，後処理モード時に用紙を一時的に収容する第１トレイと，後処理後の用紙を収容する第２トレイと，第１ローラと第２ローラとによってニップ部を形成し，搬入された用紙を前記第２トレイに排出する排出ローラ対とを備え，後処理時には第１トレイと第２トレイとに跨って用紙が収容される用紙後処理装置であって，排出ローラ対は，第１ローラ，第２ローラのそれぞれが相対するローラに対して圧接・離間方向に移動可能に設けられ，後処理モードと非後処理モードとでは，そのニップ部の高さ方向の位置が異なることを特徴としている。また，本発明の画像形成装置は，本発明の用紙後処理装置を内蔵することを特徴としている。
【００１１】
本発明の用紙後処理装置は，後処理時に第１トレイと第２トレイとに跨って用紙を収容する，いわゆる２段収容方式の用紙後処理装置である。そして，第１トレイと第２トレイとの間に排出ローラ対が位置し，その排出ローラ対の各ローラが圧接・離間方向に移動可能に設けられる。言い換えると，排紙ローラ対は，第１ポジションと，その第１ポジションとは高さ方向の位置が異なる第２ポジションとの間で移動可能に設けられる。第１ポジションは，両トレイに跨って載置された用紙束に排紙ローラ対に起因する屈曲が生じない位置に設定される。一方，第２ポジションは，搬送中の用紙が屈曲しない位置に，すなわち搬送経路に排紙ローラ対に起因する屈曲が生じない位置に設定される。
【００１２】
そして，後処理モードで用紙束を排出する際には，排出ローラ対のニップ部が第１ポジションに配置され，非後処理モードで用紙を排出する際には，排出ローラ対のニップ部が第２ポジションに配置される。これにより，モードごとに排出ローラ対に起因する用紙の屈曲を抑制することができる。つまり，後処理モード時には，排出ローラ対を第１ポジションに配置することで第１トレイおよび第２トレイ上に跨って載置される用紙の屈曲を抑制し，整合性の悪化を防ぐことができる。一方，非後処理モード時には，排出ローラ対を第２ポジションに配置することで搬送経路の屈曲を抑制し，搬送性の悪化を防ぐことができる。よって，後処理ユニットを水平配置したとしても，用紙の搬送性と整合性とを損なわない。
【００１３】
また，排出ローラ対は，後処理モードにて用紙を第１トレイ内に集積する際には，第１ローラが第２ポジションに配置され，第２ローラが第１ポジションに配置される。すなわち，用紙の集積時には第１ローラと第２ローラとの間隔を広くし，用紙の集積を容易にする。また，用紙の集積および整合の際，用紙束厚の影響を受けない。
【００１４】
また，第１トレイは，角度変更が可能な可動トレイ部と，後処理ユニットと係合する固定トレイ部とからなり，可動トレイ部は，第２ローラの移動に同期してその角度を変更することが可能である。すなわち，第１トレイは，可動トレイ部の傾斜角度（トレイの用紙載置面と水平面とによってなす角度）の変更が可能であり，その可動トレイ部を第２ローラの移動に同期して傾斜角度を調節する。つまり，可動トレイ部は，後処理の際の状況に応じて傾斜角度を変更する。これにより，可動トレイ部は，後処理モードでは用紙束の収容に供し，非後処理モードでは用紙搬送の際の排出ローラ対に対するガイドとして機能することができる。よって，搬送性および整合性が向上する。
【発明の効果】
【００１５】
本発明によれば，後処理ユニットを水平配置したとしても，排出ローラ対の各ローラを移動可能とすることにより，後処理モードでの整合性と非後処理モードでの搬送性とを両立させることができる。よって，用紙の整合性および搬送性を損なわず，装置全体のコンパクト化を図ることができる用紙後処理装置およびそれを備えた画像形成装置が提供されている。
【発明を実施するための最良の形態】
【００１６】
以下，本発明の画像形成装置を具体化した実施の形態について図面に基づいて詳細に説明する。本実施の形態は，本発明に係る用紙後処理装置（以下，「フィニッシャ」という）をカラーコピー機に搭載したものである。
【００１７】
本形態のカラーコピー機１００は，原稿の画像を用紙上に再現するものであり，図１に示すように，原稿の画像を読み取る走査系３および自動原稿搬送装置４，読み取って得た画像データを取り扱う画像信号処理部５，画像データに基づいて画像を作成し用紙上に出力するための画像形成系６，用紙を供給する用紙供給系８，画像形成後の用紙を搬送する用紙搬送系２と，用紙の後処理を行うフィニッシャ１等を備えている。用紙搬送系２には，画像形成後の用紙をフィニッシャ１に向けて排出する排出ローラ対２０が設けられている。また，フィニッシャ１には，用紙搬送系２から用紙を受け入れる搬入ローラ対２１が設けられている。
【００１８】
カラーコピー機１００は，タンデム型の画像形成装置であり，画像形成系６には転写ベルト上に並列に配置された４つの作像ユニットが設けられている。すなわち，画像形成系６は，色ごとに配設された画像形成ユニット，転写ベルト，制御基板などを有している。各画像形成ユニットは，それぞれ感光体ドラム，光走査ユニット，およびその周辺機器（帯電チャージャ，現像ユニット，転写チャージャ，クリーナー等）を有している。そして，各画像形成ユニットでは，それぞれ光走査ユニットによって各感光体ドラムの感光層に書き込まれた潜像がトナー像として顕像化される。そして，そのトナー像が転写ベルト上に転写される。すなわち，各画像形成ユニットによって，順次異なる色のトナー像が転写ベルト上に重ねて転写される。そして，重ねられたトナー像が用紙に転写されることで，カラー画像が出力される。
【００１９】
フィニッシャ１には，図２に示すように，用紙搬送系２から搬送された用紙を後処理のために一時的に収容する処理トレイ２３と，排紙された用紙あるいは用紙束を収容する排紙トレイ２４と，排紙トレイ２４へ用紙あるいは用紙束を排出する排出ローラ対２５と，搬送経路２２を介して搬入された用紙を排出ローラ対２５に向けて搬送する搬入ローラ対２６と，処理トレイ２３内に集積した用紙束に対してステープル処理を行うステープルユニット２８とが設けられている。この他，処理トレイ２３に集積された用紙束をステープルユニット２に向けて搬送する収容パドル１１および収容ベルト１２が設けられている。さらに，排紙ローラ対２５の駆動制御を行うローラ制御部１３が設けられている。
【００２０】
図３は，処理トレイ２３およびその周辺の構成を示している。処理トレイ２３の周辺には，搬送経路２２の下方に，ステープルユニット２８が水平配置されている。また，処理トレイ２３は，主として可動トレイ部２３ａと，固定トレイ部２３ｂとによって構成されている。すなわち，可動トレイ部２３ａについては角度変更が可能（図３中の矢印Ｘ方向に回動可能）になっている。可動トレイ部２３ａは，モードごとに角度調節が行われる。可動トレイ部２３ａの角度調節については後述する。
【００２１】
また，排出ローラ対２５は，排出ローラ２５ａ，２５ｂによってニップ部を構成するとともに高さ方向に圧接・離間可能に設けられている。さらに，排出ローラ対２５は，高さ方向（図３中の矢印Ｙ方向）の所定の範囲内で移動可能に設けられている。すなわち，排出ローラ対２５は，高さ方向の所定の範囲内にニップ部を配置することができる。なお，排出ローラ２５ａ，２５ｂは，ローラ制御部１５によってモードごとに位置調節される。排出ローラ２５ａ，２５ｂの位置調節については後述する。
【００２２】
続いて，フィニッシャ１の動作について，非後処理モード（本形態ではフィニッシャ１内に搬送されてきた用紙を直接排出する通常のコピーモード）と後処理モード（本形態ではステープル処理を行うステープルモード）とに分けて説明する。なお，いずれのモードであっても，画像形成系６にて画像が形成され，その後にその画像が用紙供給系８から搬送された用紙上に転写され，その用紙が用紙搬送系２の排出ローラ２０を介してフィニッシャ１内に搬入されるまでは同様である。
【００２３】
先ず，非後処理モードが選択されている場合について説明する。非後処理モードでは，図４に示すように搬入ローラ対２６より下流の搬送経路２２が略直線となる位置（以下，「ホームポジション」とする）に排出ローラ２５ａ，２５ｂが配置される。さらに，処理トレイ２３の可動トレイ２３ａが排出ローラ２５ｂの位置に合わせて斜めに設けられる。非後処理モードの際，可動トレイ２３ａは，用紙を排出ローラ対２５に向けてガイドするガイド板として作用する。
【００２４】
非後処理モードでは，搬送経路２２を経由してきた用紙が排出ローラ対２５によって直接排紙トレイ２４内に排出される。このとき，排出ローラ対２５がホームポジションに位置しているため，搬送経路２２に排出ローラ対２５の位置に起因する屈曲部は形成されない。よって，良好な搬送性が確保される。
【００２５】
次に，後処理モードが選択されている場合について説明する。後処理モードでは，図５ないし図６に示すように排出ローラ２５ａ，２５ｂがそれぞれ異なるタイミングでホームポジションよりも下方に移動する。そして，排出ローラ対２５は，ホームポジションよりも下方の位置（以下，「ステープルポジション」とする）でニップ部を形成する。本形態でのステープルポジションは，高さ方向の位置が排紙トレイ２４の後端と同等の位置である。さらに，可動トレイ２３ａの傾斜角度が固定トレイ２３ｂの傾斜角度と同等となっている。
【００２６】
具体的に，後処理モードでは，排出ローラ２５ａ，２５ｂの位置が用紙の集積時と用紙束の排出時とでそれぞれ異なる。すなわち，用紙の集積時では，図５に示したように，排出ローラ対２５のうちの下側に位置する排出ローラ２５ｂのみがステープルポジションまで移動する。これにより，排紙ローラ２５ａと排紙ローラ２５ｂとの間に，ホームポジション−ステープルポジション間の距離と同距離の隙間が形成される。一方，用紙束の排出時では，図６に示したように排出ローラ２５ａもステープルポジションまで移動する。これにより，排出ローラ２５ａ，２５ｂ間にニップ部を形成する。また，可動トレイ２３ａも排紙ローラ２５ｂの移動に同期してその角度調節が行われる。
【００２７】
後処理モードの用紙の集積時では，搬入ローラ対２６から排出された用紙が処理トレイ２３内および排紙トレイ２４内に収容される（図５参照）。排出ローラ２５ｂがステープルポジションに位置していると，処理トレイ２３内および排紙トレイ２４内に極端な屈曲部は形成されない。よって，良好な整合性が確保される。処理トレイ２３内に収容された用紙は，収容パドル１１および収容ベルト１２によってステープルユニット側に集められて整合される。そして，最終ページの用紙まで集積した後，ステープルユニット２８によってステープル処理が行われる。
【００２８】
一方，用紙束の排紙時には，排出ローラ対２５のうちの上側に位置する排出ローラ２５ａがステープルポジションまで移動する。これにより，排紙ローラ２５ａと排紙ローラ２５ｂとが用紙束を挟んで圧接状態となる（図６参照）。そして，ステープル処理が終了した後，排紙ローラ対２５が回転することによって用紙束が排紙トレイ２４内に排出される。用紙束の排出後，排出ローラ対２５はホームポジションへ再び移動する。さらに，排出ローラ対２５の移動に同期して可動トレイ２３ａの角度も調節される。
【００２９】
次に，ステープル処理を行う際のカラーコピー機１００の動作を，図７にフローチャートを基に説明する。まず，操作者によってコピーモードが選択される（Ｓ１）。コピーモードとしては，ステープルモードの他，シフトモード，中綴じモード等が選択可能である。その後，操作者によってコピーの開始が指示される（Ｓ２）。例えば，操作パネル内のコピースタートボタンが押下される。
【００３０】
次に，ステープルモードが選択されているか否かを判断する（Ｓ３）。ステープルモードが選択されていない場合（Ｓ３：ＮＯ）には，ホームポジションに位置する排出ローラ対２５が用紙を受け取り，その用紙を排紙トレイ２４に排出する（Ｓ１３）。そして，このＳ１４の処理を最終ページが排出されるまで繰り返す（Ｓ１４）。
【００３１】
一方，ステープルモードが選択されている場合（Ｓ３：ＹＥＳ）には，排出ローラ２５ｂがステープルポジションまで移動する（Ｓ４）。その後，用紙が処理トレイ２３内に搬入され，処理トレイ３内で搬入された用紙を整合する（Ｓ５）。その後，搬入した用紙が最終ページであるか否かを判断（Ｓ６）し，最終ページが収容されるまでＳ５からＳ６までの処理を繰り返す。
【００３２】
最終ページまで搬入された後，収容ベルト１２によって用紙束を挟み込んだ状態でステープル処理を行う（Ｓ７）。ステープル処理後は，排出ローラ２５ａがステープルポジションまで移動する（Ｓ８）。そして，排出ローラ対２５によって用紙束を排紙トレイ２４に排紙する（Ｓ９）。その後，排出した用紙束が最終部であるか否かを判断（Ｓ１０）する。最終部でなければ（Ｓ１０：ＮＯ），排紙ローラ２５ａをホームポジションまで戻し（Ｓ１１），最終部が収容されるまでＳ５からＳ１１までの処理を繰り返す。最終部であれば（Ｓ１０：ＹＥＳ），排出ローラ２５ａ，２５ｂをホームポジションまで戻す（Ｓ１２）。Ｓ１２あるいはＳ１４の処理の後，本処理を終了する。
【００３３】
以上詳細に説明したように本形態のフィニッシャ１は，ステープルユニット２８を水平配置することとしている。そのため，フィニッシャ１の高さ方向の寸法は小さい。さらに，フィニッシャ１では，排出ローラ対２５を高さ方向に移動可能とすることとしている。そして，非後処理モードでは，排出ローラ対２５をホームポジションに配している。そのため，用紙の搬送経路を排出ローラ対２５によって屈曲させることなく，搬入された用紙をスムーズに排出している。すなわち，用紙の搬送性が良好である。一方，後処理モードでは，まず，排出ローラ２５ｂをホームポジションよりも下方のステープルポジションに配し，両トレイに載置される用紙束の屈曲を抑制している。そのため，用紙の整合性が良好である。その後，排出ローラ２５ａもステープルポジションに配し，ステープルポジションにニップ部を形成する。これにより，後処理後の用紙束をスムーズに排出している。よって，用紙の整合性および搬送性を損なわず，装置全体のコンパクト化を図ることができる用紙後処理装置およびそれを備えた画像形成装置が実現している。
【００３４】
また，処理トレイ２３は，角度調節が可能な可動トレイ部２３ａと，ステープルユニット２８と係合した固定トレイ部２３ｂとを備え，可動トレイ部２３ａは排出ローラ２５ｂの移動に同期して角度調節を可能としている。具体的には，後処理モード時には，固定トレイ部２３ｂと同様の角度，すなわち整合性を損なわない傾斜角となり，非後処理モード時には，用紙をホームポジションに位置する排出ローラ対２５に向けてガイドすることが可能な角度となるように角度調節される。すなわち，モードによって可動トレイ部２３ａの角度が調節される。これにより，非後処理モード時の搬送性の向上，および後処理モード時の整合性の向上とを両立させている。
【００３５】
なお，本実施の形態は単なる例示にすぎず，本発明を何ら限定するものではない。したがって本発明は当然に，その要旨を逸脱しない範囲内で種々の改良，変形が可能である。例えば，実施の形態ではカラーコピー機に本発明を適用しているがこれに限るものではない。すなわち，プリンタ，スキャナ，ＦＡＸあるいはワードプロセッサ等であっても電子写真方式の画像形成装置であれば適用可能である。また，カラーに限らず，モノクロ画像専用のものであってもよい。また，タンデム方式に限らず，例えば４サイクル方式であってもよい。
【図面の簡単な説明】
【００３６】
【図１】実施の形態にかかるコピー機の機能構成を示す概念図である。
【図２】実施の形態にかかるフィニッシャの機能構成を示す概念図である。
【図３】図２に示したフィニッシャにおける処理トレイ周辺の構成を示す断面図である。
【図４】非後処理モード時のフィニッシャの動作を説明する概念図である。
【図５】後処理モード時のフィニッシャの動作（用紙束収容時）を説明する概念図である。
【図６】後処理モード時のフィニッシャの動作（用紙束排出時）を説明する概念図である。
【図７】コピー機の後処理の動作手順を示すフローチャートである。
【図８】フィニッシャを斜めに配置した場合の機能構成を示す概念図である。
【図９】フィニッシャを水平に配置した場合の機能構成（排紙優先）を示す概念図である。
【図１０】フィニッシャを水平に配置した場合の機能構成（整合優先）を示す概念図である。
【符号の説明】
【００３７】
１      フィニッシャ（用紙後処理装置）
１３    ローラ制御部
２３    処理トレイ（第１トレイ）
２３ａ  可動トレイ部（可動トレイ部）
２３ｂ  固定トレイ部（固定トレイ部）
２４    排紙トレイ（第２トレイ）
２５    排出ローラ対（排出ローラ対）
２５ａ  排出ローラ（第１ローラ）
２５ｂ  排出ローラ（第２ローラ）
２８    ステープルユニット（後処理ユニット）
１００  コピー機（画像形成装置）
【図１】
2006206197.tif 000003
【図２】
2006206197.tif 000004
【図３】
2006206197.tif 000005
【図４】
2006206197.tif 000006
【図５】
2006206197.tif 000007
【図６】
2006206197.tif 000008
【図７】
2006206197.tif 000009
【図８】
2006206197.tif 000010
【図９】
2006206197.tif 000011
【図１０】
2006206197.tif 000012